(57)【要約】【課題】被制御装置の状態に関わらず、被制御装置を制御するための制御信号に対応する処理を被制御装置に行なわせることを可能とする携帯端末装置および制御プログラムを提供する。【解決手段】指示入力を受付けた場合、予め順序づけられた複数の制御信号を、受信した制御信号に対応する処理を行なう被制御装置へ送信する。送信される複数の制御信号のうちの１番目の制御信号は、被制御装置を初期状態にするための信号であり、複数の制御信号の各々は、初期状態の被制御装置により順に受信されることにより、対応する処理が被制御装置により行なわれる信号である。【選択図】図１３
2009124384.tif 000002
【特許請求の範囲】
【請求項１】
受信した制御信号に対応する処理を行なう被制御装置と通信する携帯端末装置であって、
指示入力を受付けるための受付手段と、
前記被制御装置を制御するための前記制御信号を、前記被制御装置へ送信するための送信手段とを備え、
前記送信手段は、前記受付手段が前記指示入力を受付けた場合、予め順序づけられた複数の前記制御信号を、前記被制御装置へ送信し、
送信される前記複数の制御信号のうちの１番目の制御信号は、前記被制御装置を初期状態にするための信号であり、
前記複数の制御信号の各々は、前記初期状態の前記被制御装置により順に受信されることにより、対応する処理が前記被制御装置により行なわれる信号である、携帯端末装置。
【請求項２】
前記送信手段は、前記複数の制御信号の少なくとも１つが、前記被制御装置の状態に関する特定信号である場合、前記複数の制御信号を、前記被制御装置へ送信する、請求項１に記載の携帯端末装置。
【請求項３】
前記複数の制御信号の少なくとも１つが、前記被制御装置の状態に関する特定信号であるか否かを判定する判定手段をさらに備え、
前記送信手段は、前記判定手段により前記複数の制御信号の少なくとも１つが前記特定信号であると判定された場合、前記複数の制御信号を、前記被制御装置へ送信する、請求項１または２に記載の携帯端末装置。
【請求項４】
前記特定信号は、前記被制御装置を異なる複数の状態のいずれかの状態にするための信号、または、前記被制御装置の状態によっては、前記被制御装置が受信した前記特定信号に対応する処理が前記被制御装置により行なわれない無効な信号である、請求項２または３に記載の携帯端末装置。
【請求項５】
前記初期状態にするための信号は、複数の信号を含む、請求項１〜４のいずれかに記載の携帯端末装置。
【請求項６】
前記初期状態は、前記携帯端末装置から送信される前記制御信号に対応する処理を行なうことが可能な状態である信号対応可能状態であって、かつ、前記被制御装置が初めて前記信号対応可能状態となった場合において、前記被制御装置により前記制御信号に対応する処理が行なわれることにより前記被制御装置が複数種類の状態のいずれかの状態に遷移可能な状態である、請求項１〜５のいずれかに記載の携帯端末装置。
【請求項７】
受信した制御信号に対応する処理を行なう被制御装置と通信する携帯端末装置が実行する制御プログラムであって、
指示入力を受付けるステップと、
前記指示入力が受付けられた場合、前記被制御装置を制御するための、予め順序づけられた複数の前記制御信号を、前記被制御装置へ送信するステップとを備え、
送信される前記複数の制御信号のうちの１番目の制御信号は、前記被制御装置を初期状態にするための信号であり、
前記複数の制御信号の各々は、前記初期状態の前記被制御装置により順に受信されることにより、対応する処理が前記被制御装置により行なわれる信号である、制御プログラム。
【発明の詳細な説明】
【技術分野】
【０００１】
本発明は、携帯端末装置および制御プログラムに関し、特に、他の装置を制御するための処理を行なう携帯端末装置および制御プログラムに関する。
【背景技術】
【０００２】
近年、リモートコントローラーとして使用可能な携帯電話等の携帯端末装置が普及しつつある。以下においては、リモートコントローラーにより制御される装置を、被制御装置ともいう。
【０００３】
特開２００４−１７３２４１号公報（特許文献１）には、リモートコントローラーとしての携帯電話が、複数のリモートコントロールコードを、被制御装置へ送信することにより、被制御装置に複数の処理を連続して行なわせるための技術（以下、第１の先行技術ともいう）が開示されている。
【特許文献１】特開２００４−１７３２４１号公報
【発明の開示】
【発明が解決しようとする課題】
【０００４】
ここで、被制御装置は、たとえば、第１〜第４の状態になることが可能な装置であるとする。第１の状態は、たとえば、放送信号に基づく画像が表示される状態であるとする。第２の状態は、たとえば、番組表が表示される状態であるとする。第３の状態は、たとえば、録画予約した番組のリストが表示される状態であるとする。第４の状態は、たとえば、録画した番組のリストが表示される状態であるとする。
【０００５】
また、被制御装置は、第１の状態から、第２の状態または第４の状態へ遷移することが可能であるとする。また、被制御装置は、第２の状態から、第３の状態へ遷移することが可能であるとする。また、被制御装置は、第４の状態から、直接、第２の状態および第３の状態へ遷移することはできないとする。
【０００６】
ここで、被制御装置は、第４の状態であるとする。そして、被制御装置が第４の状態であるときに、被制御装置を、第３の状態にするために、被制御装置を、第２の状態、第３の状態に順に遷移させるための複数のリモートコントロール信号が、順次、被制御装置へ送信されたとする。この場合、被制御装置は、第４の状態から、直接、第２の状態および第３の状態へ遷移できないため、被制御装置は、意図する状態にならない。
【０００７】
すなわち、被制御装置の状態によっては、被制御装置を、リモートコントロール信号（以下、制御信号ともいう）に対応した、意図する状態にすることができないという問題が発生する。すなわち、被制御装置の状態によっては、被制御装置が、制御信号に対応した処理を行なわない場合が生じるという問題が発生する。第１の先行技術では、このような問題点を解決するための技術は開示されていない。
【０００８】
本発明は、上述の問題点を解決するためになされたものであって、その目的は、被制御装置の状態に関わらず、被制御装置を制御するための制御信号に対応する処理を被制御装置に行なわせることを可能とする携帯端末装置および制御プログラムを提供することである。
【課題を解決するための手段】
【０００９】
上述の課題を解決するために、この発明のある局面に従うと、受信した制御信号に対応する処理を行なう被制御装置と通信する携帯端末装置は、指示入力を受付けるための受付手段と、被制御装置を制御するための制御信号を、被制御装置へ送信するための送信手段とを備える。送信手段は、受付手段が指示入力を受付けた場合、予め順序づけられた複数の制御信号を、被制御装置へ送信し、送信される複数の制御信号のうちの１番目の制御信号は、被制御装置を初期状態にするための信号であり、複数の制御信号の各々は、初期状態の被制御装置により順に受信されることにより、対応する処理が被制御装置により行なわれる信号である。
【００１０】
好ましくは、送信手段は、複数の制御信号の少なくとも１つが、被制御装置の状態に関する特定信号である場合、複数の制御信号を、被制御装置へ送信する。
【００１１】
好ましくは、複数の制御信号の少なくとも１つが、被制御装置の状態に関する特定信号であるか否かを判定する判定手段をさらに備え、送信手段は、判定手段により複数の制御信号の少なくとも１つが特定信号であると判定された場合、複数の制御信号を、被制御装置へ送信する。
【００１２】
好ましくは、特定信号は、被制御装置を異なる複数の状態のいずれかの状態にするための信号、または、被制御装置の状態によっては、被制御装置が受信した特定信号に対応する処理が被制御装置により行なわれない無効な信号である。
【００１３】
好ましくは、初期状態にするための信号は、複数の信号を含む。
好ましくは、初期状態は、携帯端末装置から送信される制御信号に対応する処理を行なうことが可能な状態である信号対応可能状態であって、かつ、被制御装置が初めて信号対応可能状態となった場合において、被制御装置により制御信号に対応する処理が行なわれることにより被制御装置が複数種類の状態のいずれかの状態に遷移可能な状態である。
【００１４】
この発明の他の局面に従うと、受信した制御信号に対応する処理を行なう被制御装置と通信する携帯端末装置が実行する制御プログラムは、指示入力を受付けるステップと、指示入力が受付けられた場合、被制御装置を制御するための、予め順序づけられた複数の制御信号を、被制御装置へ送信するステップとを備える。送信される複数の制御信号のうちの１番目の制御信号は、被制御装置を初期状態にするための信号であり、複数の制御信号の各々は、初期状態の被制御装置により順に受信されることにより、対応する処理が被制御装置により行なわれる信号である。
【発明の効果】
【００１５】
本発明に係る携帯端末装置は、指示入力を受付けた場合、予め順序づけられた複数の制御信号を、受信した制御信号に対応する処理を行なう被制御装置へ送信する。送信される複数の制御信号のうちの１番目の制御信号は、被制御装置を初期状態にするための信号であり、複数の制御信号の各々は、初期状態の被制御装置により順に受信されることにより、対応する処理が被制御装置により行なわれる信号である。
【００１６】
したがって、被制御装置の状態に関わらず、被制御装置を制御するための制御信号に対応する処理を被制御装置に行なわせることを可能とすることができるという効果を奏する。
【００１７】
本発明に係る制御プログラムは、指示入力が受付けられた場合、被制御装置を制御するための、予め順序づけられた複数の制御信号を、受信した制御信号に対応する処理を行なう被制御装置へ送信する。送信される複数の制御信号のうちの１番目の制御信号は、被制御装置を初期状態にするための信号であり、複数の制御信号の各々は、初期状態の被制御装置により順に受信されることにより、対応する処理が被制御装置により行なわれる信号である。
【００１８】
したがって、被制御装置の状態に関わらず、被制御装置を制御するための制御信号に対応する処理を被制御装置に行なわせることを可能とすることができるという効果を奏する。
【発明を実施するための最良の形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
（システムの構成）
図１は、本実施の形態におけるネットワークシステム１０００の構成を示す図である。図１を参照して、ネットワークシステム１０００は、携帯端末装置５００と、被制御装置６００とを含む。
【００２１】
携帯端末装置５００は、携帯電話である。なお、携帯端末装置５００は、携帯電話に限定されることなく、通信機能を備え、携帯可能な装置であればどのような装置（たとえば、ＰＤＡ（Personal Digital Assistance）、ＰＣ（Personal Computer））でもよい。
【００２２】
携帯端末装置５００は、電話網６０と、無線によりデータ通信可能である。電話網６０は、たとえば、携帯電話のための電話網である。
【００２３】
被制御装置６００は、携帯端末装置５００から送信される信号により制御される装置である。被制御装置６００は、一例として、テレビジョン受信機である。なお、被制御装置６００は、テレビジョン受信機に限定されることなく、携帯端末装置５００から送信される信号により制御される装置であればどのような装置であってもよい。被制御装置６００は、たとえば、映像記録再生装置、音楽再生装置、ＰＣ等であってもよい。
【００２４】
携帯端末装置５００は、無線または有線により、被制御装置６００とデータ通信を行なう。携帯端末装置５００は、無線または有線により、ネットワーク７０とデータ通信を行なう機能を有する。ネットワーク７０は、インターネットなどの広域なネットワークである。
【００２５】
また、被制御装置６００は、無線または有線により、ネットワーク７０とデータ通信を行なう機能を有する。また、ネットワーク７０は、無線または有線により、電話網６０とデータ通信可能である。したがって、携帯端末装置５００は、電話網６０を介して、ネットワーク７０とデータ通信可能である。
【００２６】
（携帯端末装置）
次に、携帯端末装置５００について詳細に説明する。
【００２７】
図２は、携帯端末装置５００の外観を正面から示した図である。図２を参照して、携帯端末装置５００は、表示部５３０と、音声出力部５７０と、ＬＥＤ（Light Emitting Diode）５７６と、撮像部５７８とを備える。
【００２８】
表示部５３０は、文字や画像等を表示する機能を有する。表示部５３０には、文字や画像等を表示する表示面が設けられる。表示部５３０は、ＬＣＤパネル（Liquid Crystal Display Panel）を使用した装置である。なお、表示部５３０は、上記以外の表示方式のパネルを使用した装置であってもよい。
【００２９】
表示部５３０の表示面の解像度は、横４８０（ドット）×縦８００（ドット）である。なお、表示部５３０の表示面の解像度は、横４８０（ドット）×縦８００（ドット）に限定されることなく、他の解像度であってもよい。
【００３０】
また、表示部５３０は、ユーザが、表示面に直接触れることで、情報入力可能なタッチパネル機能を有する。表示部５３０は、ユーザが表示面にタッチした位置情報を、後述する制御部５１０へ送信する。制御部５１０は、受信した位置情報に基づいて、所定の処理を行なう。
【００３１】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００３２】
ＬＥＤ５７６は、携帯端末装置５００で行なわれる処理に応じて、光による報知を行なう。たとえば、ＬＥＤ５７６は、電話の着信があった場合、光を点滅させる。
【００３３】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００３４】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００３５】
撮像処理では以下の処理が行なわれる。まず、撮像部５７８が、撮像対象となる被写体に反射されて撮像レンズに入射した光、または、光源（たとえば、照明）からの光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００３６】
携帯端末装置５００は、さらに、入力部５４０を備える。
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００３７】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００３８】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００３９】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００４０】
機能ボタン５４３Ａは、電話をかけるためのボタンである。たとえば、機能ボタン５４３Ａは、後述する文字ボタン群５４６の短押操作により電話番号を入力した後に、短押操作されることで、入力した電話番号の携帯端末装置に電話をかける処理が行なわれる。また、機能ボタン５４３Ａは、携帯端末装置５００に電話がかかってきた場合、短押操作により通話開始を行なうためのボタンである。機能ボタン５４３Ｂは、携帯端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、携帯端末装置５００の電源のオンとオフとの切替えを行なうためのボタンである。
【００４１】
入力部５４０は、さらに、文字ボタン群５４６を含む。
図３は、一例としての文字ボタン群５４６を示す図である。図３を参照して、文字ボタン群５４６は、文字ボタンＡＢ，ＣＬＢ，ＣＢ，１Ｂ，２Ｂ，３Ｂ，４Ｂ，５Ｂ，６Ｂ，７Ｂ，８Ｂ，９Ｂ，ＫＢ，０Ｂ，＃Ｂを含む。文字ボタンＡＢ，ＣＬＢ，ＣＢ，１Ｂ，２Ｂ，３Ｂ，４Ｂ，５Ｂ，６Ｂ，７Ｂ，８Ｂ，９Ｂ，ＫＢ，０Ｂ，＃Ｂの各々は、短押操作により、数字、文字または記号等を入力するためのボタンである。なお、文字ボタン群５４６に含まれる文字ボタンの数は、１５個に限定されない。
【００４２】
文字ボタンＡＢは、短押操作される毎に、大文字のアルファベットを入力するモードと、小文字のアルファベットを入力するモードとを切換えるためのボタンである。文字ボタンＣＬＢは、短押操作により、入力されている文字を削除するためのボタンである。文字ボタンＣＢは、短押操作される毎に、入力する文字の種別を変更するためのボタンである。文字ボタン１Ｂ，２Ｂ，３Ｂ，４Ｂ，５Ｂ，６Ｂ，７Ｂ，８Ｂ，９Ｂ，ＫＢ，０Ｂ，＃Ｂの各々は、対応するボタン内に表示されている文字等を入力するためのボタンである。たとえば、文字ボタン３Ｂは、短押操作により、“３”、さ、し、す、せ、そ、Ｄ、Ｅ、Ｆ等のいずれかの文字を入力するためのボタンである。
【００４３】
再び、図２を参照して、入力部５４０は、入力部５４０に含まれる複数のボタンのうち、短押操作または長押操作されたボタンに対応するボタン信号を、後述する制御部５１０へ送信する。すなわち、入力部５４０は、ユーザが携帯端末装置５００を操作するためのインターフェースである。以下においては、ユーザによる、入力部５４０の操作または表示部５３０に対するタッチ操作を、インターフェース操作Ｍともいう。
【００４４】
携帯端末装置５００は、さらに、音声入力部５７４と、記録媒体挿入部５５０Ａとを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、携帯端末装置５００内の後述する制御部５１０へ送信する。記録媒体挿入部５５０Ａは、携帯端末装置５００に後述する記録媒体を挿入する部分である。
【００４５】
図４は、携帯端末装置５００の内部構成を示したブロック図である。なお、図４には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００４６】
図４を参照して、携帯端末装置５００は、さらに、制御部５１０と、一時記憶部５２２と、記憶部５２０とを備える。
【００４７】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、その他の各種データ等が記憶されている。
【００４８】
制御部５１０は、記憶部５２０に記憶されたプログラム１８０に従って、携帯端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００４９】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００５０】
携帯端末装置５００は、さらに、ＶＤＰ５３２（Video Display Processor）と、ＶＲＡＭ（Video Random Access Memory）５３６とを備える。
【００５１】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００５２】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００５３】
携帯端末装置５００は、さらに、入力部５４０と、記録媒体アクセス部５５０とを備える。
【００５４】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００５５】
記録媒体アクセス部５５０は、記録媒体５５５が前述の記録媒体挿入部５５０Ａから携帯端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００５６】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００５７】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００５８】
記録媒体５５５は、ＳＤ（Secure Digital）メモリーカードである。なお、記録媒体５５５は、ＳＤメモリーカードに限定されることなく、データを不揮発的に記録可能なその他の媒体であってもよい。
【００５９】
携帯端末装置５００は、さらに、通信部５６０と、通信部５６２とを備える。
通信部５６０は、制御部５１０とデータの送受信を行なう。また、通信部５６０は、被制御装置６００と有線または無線で、データの送受信を行なう機能を有する。
【００６０】
通信部５６０は、ＵＳＢ（登録商標）（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００６１】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００６２】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、被制御装置６００と無線でデータ通信を行なう。
【００６３】
通信部５６２は、制御部５１０と、データの送受信を行なう。通信部５６２は、有線技術を利用して、ネットワーク７０とデータ通信を行なう機能を有する。有線技術は、たとえば、イーサネット（登録商標）に基づく技術である。この場合、通信部５６２は、たとえば、ＬＡＮケーブルを介して、ネットワーク７０とデータ通信を行なうことができる。
なお、有線技術は、イーサネット（登録商標）に基づく技術に限定されることなく、その他の有線技術であってもよい。
【００６４】
また、通信部５６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部５６２は、無線により、ネットワーク７０とデータ通信を行なうことができる。
【００６５】
携帯端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００６６】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００６７】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、携帯端末装置５００の位置を大まかに把握することができる。
【００６８】
また、通信部５６６は、ＧＰＳ（Global Positioning System）機能を有する。ＧＰＳ機能とは、人口衛星と通信して、携帯端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００６９】
携帯端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【００７０】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００７１】
携帯端末装置５００は、さらに、音声出力部５７２を備える。音声出力部５７２は、携帯端末装置５００の外部に設けられる。音声出力部５７２は、制御部５１０で行なわれる処理に対応した音声を出力する機能を有する。音声出力部５７２には、音声を出力するスピーカが含まれる。音声出力部５７２は、制御部５１０から受信した音声データに基づく音声をスピーカから出力する。
【００７２】
制御部５１０は、前述した音声出力部５７０、音声入力部５７４とデータ通信する。
制御部５１０が、音声データを音声出力部５７０へ送信すると、音声出力部５７０は、制御部５１０から受信した音声データに基づく音声をスピーカから出力する。
【００７３】
ユーザが音声入力部５７４に含まれるマイクに対して音声を発すると、音声入力部５７４は、マイクにより取得した音声を音声データに変換して、音声データを、制御部５１０へ送信する。
【００７４】
制御部５１０は、前述したＬＥＤ５７６および撮像部５７８の各々とデータ通信する。ＬＥＤ５７６は、制御部５１０からの制御指示に基づいて、光を発する。
【００７５】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００７６】
携帯端末装置５００は、さらに、振動部５７９を備える。振動部５７９は、制御部５１０からの制御指示に基づいて、振動部５７９自身が振動することにより、携帯端末装置５００を振動させる機能を有する。振動部５７９は、たとえば、電話の着信、電子メールの受信時に、制御部５１０からの制御指示に基づいて、携帯端末装置５００を振動させる。
【００７７】
（被制御装置）
次に、被制御装置６００について詳細に説明する。
【００７８】
図５は、被制御装置６００の内部構成を示したブロック図である。図５を参照して、被制御装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。
【００７９】
表示部６３０が表示可能な画像のサイズは、表示部５３０が表示可能な画像のサイズより大きい。また、表示部６３０の解像度は、表示部５３０の解像度より大きい。たとえば、表示部６３０の解像度は、横１９２０（ドット）×縦１０８０（ドット）の解像度である。なお、表示部６３０の解像度は、横１９２０（ドット）×縦１０８０（ドット）に限定されることなく、他の解像度であってもよい。
【００８０】
音声出力部６７０は、被制御装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【００８１】
被制御装置６００は、さらに、制御部６１０と、一時記憶部６２２と、記憶部６２０とを備える。
【００８２】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、その他の各種データ等が記憶されている。
【００８３】
制御部６１０は、記憶部６２０に記憶されたプログラム１８０Ａに従って、被制御装置６００内の各部に対する各種処理や、演算処理等を行なう機能を有する。制御部６１０は、前述の制御部５１０と同様なものであるので詳細な説明は繰り返さない。
【００８４】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００８５】
被制御装置６００は、さらに、アンテナ６０２と、チューナ６０５と、データ処理部６０７とを備える。
【００８６】
アンテナ６０２は、チューナ６０５と接続されている。チューナ６０５は、制御部６１０により指示された周波数の放送信号を、アンテナ６０２を介して受信する。チューナ６０５は、ディジタル放送に基づく放送信号およびアナログ放送に基づく放送信号を受信する機能を有する。チューナ６０５は、受信した放送信号を、データ処理部６０７へ送信する。
【００８７】
データ処理部６０７は、制御部６１０から、表示部６３０に画像を表示させるための表示指示を受信すると、受信した放送信号から画像データを取得し、当該画像データを、後述するＶＤＰ６３２へ送信する。ＶＤＰ６３２は、画像データを受信すると、表示部６３０に画像データに基づく画像（動画像または静止画像）を表示させる。以下においては、チューナ６０５が受信した放送信号に基づく画像であって、かつ、表示部６３０に表示される画像を、ＴＶ画像ともいう。
【００８８】
データ処理部６０７が受信した放送信号が、アナログ放送に基づく信号である場合であって、かつ、制御部６１０から、録画処理を行なうための録画指示を受信した場合、データ処理部６０７は、放送信号から取得した画像データおよび音声データを圧縮して、録画データとして、記憶部６２０に記憶させる。また、データ処理部６０７が受信した放送信号が、ディジタル放送に基づく信号である場合であって、かつ、制御部６１０から、録画処理を行なうための録画指示を受信した場合、データ処理部６０７は、放送信号から取得した画像データおよび音声データを、録画データとして、記憶部６２０に記憶させる。
【００８９】
記憶部６２０に記憶される録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。以下においては、記憶部６２０に記憶される録画データを、コンテンツともいう。
【００９０】
なお、放送信号は、ＥＰＧ（Electric Program Guide）データを含む。ＥＰＧデータは、複数の番組情報を示すデータである。
【００９１】
被制御装置６００は、さらに、ＶＤＰ６３２と、ＶＲＡＭ６３６とを備える。
ＶＲＡＭ６３６は、画像データを一時的に記憶する機能を有する。
【００９２】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【００９３】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【００９４】
被制御装置６００は、さらに、入力部６４０を備える。
入力部６４０は、図示されない複数のボタンを含む。複数のボタンは、被制御装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【００９５】
被制御装置６００は、さらに、通信部６６０と、通信部６６２とを備える。
通信部６６０は、制御部６１０とデータの送受信を行なう。また、通信部６６０は、携帯端末装置５００と有線または無線で、データの送受信を行なう機能を有する。なお、通信部６６０は、前述の通信部５６０と同様な構成および機能を有するので詳細な説明は繰り返さない。
【００９６】
通信部６６２は、制御部６１０と、データの送受信を行なう。通信部６６２は、有線技術を利用して、ネットワーク７０とデータ通信を行なう機能を有する。有線技術は、たとえば、イーサネット（登録商標）に基づく技術である。この場合、通信部６６２は、たとえば、ＬＡＮケーブルを介して、ネットワーク７０とデータ通信を行なうことができる。なお、有線技術は、イーサネット（登録商標）に基づく技術に限定されることなく、その他の有線技術であってもよい。
【００９７】
また、通信部６６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部６６２は、無線により、ネットワーク７０とデータ通信を行なうことができる。
【００９８】
したがって、本実施の形態における被制御装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【００９９】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１００】
被制御装置６００は、さらに、ＲＣ信号受信部６８０を備える。ＲＣ信号受信部６８０は、リモートコントローラー３００から出力される、被制御装置６００を制御するためのリモートコントロール信号（以下、ＲＣ信号ともいう）を受信する機能を有する。ＲＣ信号受信部６８０は、受信したＲＣ信号を制御部６１０へ送信する。制御部６１０は、受信したＲＣ信号に応じて、対応する処理を行なう。
【０１０１】
なお、以下においては、携帯端末装置５００の通信部５６０から送信される、被制御装置６００を制御するためのリモートコントロール信号も、ＲＣ信号という。この場合、通信部６６０が、携帯端末装置５００から送信されたＲＣ信号を受信し、受信したＲＣ信号を制御部６１０へ送信する。制御部６１０は、受信したＲＣ信号に応じて、対応する処理を行なう。ＲＣ信号は、被制御装置６００の制御を行なうための制御信号である。以下においては、携帯端末装置５００が被制御装置６００へ送信するＲＣ信号により、被制御装置６００を制御可能となる携帯端末装置５００の動作モードを、リモートコントロールモード（以下、ＲＣモードともいう）という。
【０１０２】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１０３】
（被制御装置の状態の遷移）
被制御装置６００は、表示する画像の状態によって、様々な状態になる。次に、被制御装置の状態について説明する。
【０１０４】
図６は、被制御装置６００の表示部６３０が表示する画像の例を示す図である。図６を参照して、被制御装置６００は、携帯端末装置５００から送信されるＲＣ信号を受信することにより、表示部６３０に、ＴＶ画像Ｇ１００、番組表画像Ｇ１００Ａ、予約リスト画像Ｇ１００Ｂ、録画リスト画像Ｇ１００Ｃ等を表示する。
【０１０５】
ＴＶ画像Ｇ１００は、被制御装置６００が受信した放送信号に基づく画像である。番組表画像Ｇ１００Ａは、複数の番組情報Ａを表示する。複数の番組情報Ａは、放送信号に含まれるＥＰＧデータが示す複数の番組情報のうちの一部の番組情報が示す情報により、制御部６１０により生成される情報である。ＥＰＧデータが示す複数の番組情報の各々は、たとえば、番組が放送される時間、番組が放送されるチャンネル、番組名、番組の出演者等を示す。したがって、複数の番組情報Ａの各々は、番組表画像Ｇ１００Ａにおいて、対応するチャンネルと、対応する時間とにより特定される位置に表示される。また、複数の番組情報Ａの各々は、番組名、番組の出演者等を示す。
【０１０６】
表示部６３０に番組表画像Ｇ１００Ａが表示されている状態で、携帯端末装置５００において、録画予約操作があった場合、被制御装置６００は、録画予約処理を行なう。ここで、録画予約操作は、携帯端末装置５００において、番組表画像Ｇ１００Ａに表示される複数の番組情報Ａのいずれかを選択し、選択した番組情報Ａに対応する番組の録画予約を行なうためのインターフェース操作Ｍである。録画予約処理は、制御部６１０が、録画予約操作により録画予約の対象となった番組の情報（以下、録画予約情報ともいう）を、記憶部６２０に記憶させる処理である。録画予約情報は、前述した録画処理を行なう日付および時間、録画処理を行なう番組名等を示す。
【０１０７】
予約リスト画像Ｇ１００Ｂは、前述した録画予約処理により、記憶部６２０に記憶された１以上の録画予約情報を表示する画像である。
【０１０８】
録画リスト画像Ｇ１００Ｃは、複数の録画番組画像を表示する画像である。複数の録画番組画像の各々は、録画処理により録画された番組の名称、サムネイル画像等を表示する。サムネイル画像は、対応する番組の内容を示すための画像である。サムネイル画像は、動画像および静止画像のいずれであってもよい。サムネイル画像は、たとえば、対応する番組の１シーンの動画像であってもよい。
【０１０９】
次に、被制御装置６００の制御部６１０が対応可能な制御信号としてのＲＣ信号について、以下の信号テーブルＴ１００を参照しながら、説明する。
【０１１０】
ここで、被制御装置６００は、図示しない電源から、自装置が動作するための動作電圧の供給を受ける。被制御装置６００は、図示しない、主電源スイッチおよび画像表示電源スイッチを備える。主電源スイッチは、ＲＣ信号を受信するための各部位を少なくとも動作させるための動作電圧（以下、メイン電圧ともいう）の供給の有無を切換えるためのスイッチである。画像表示電源スイッチは、表示部６３０に画像を表示させるための各部位を動作させるための動作電圧（以下、画像表示電圧ともいう）の供給の有無を切換えるためのスイッチである。
【０１１１】
ここで、被制御装置６００の動作モードは、通常モードと、待機モードとを有する。主電源スイッチおよび画像表示電源スイッチがオンである場合、被制御装置６００は、通常モードとなる。この場合、通常モードの被制御装置６００には、メイン電圧および画像表示電圧が供給される。主電源スイッチがオンであり、画像表示電源スイッチがオフである場合、被制御装置６００は、待機モードとなる。待機モードの被制御装置６００には、画像表示電圧が供給されず、メイン電圧が供給される。したがって、待機モードの被制御装置６００は、表示部６３０に画像を表示できない状態となる。すなわち、待機モードの被制御装置６００は、表示部６３０に画像が表示されていない状態である。
【０１１２】
図７は、一例としての信号テーブルＴ１００を示す図である。図７を参照して、信号テーブルＴ１００において、「信号名」とは、制御信号としてのＲＣ信号の名称である。なお、信号テーブルＴ１００に示される信号名のＲＣ信号は、制御部６１０が対応可能な全てのＲＣ信号の一部である。
【０１１３】
信号名が“ＰＯＷＥＲ”のＲＣ信号（以下、ＰＯＷＥＲ−ＲＣ信号ともいう）は、被制御装置６００において、待機モードと、通常モードとを切換えるための信号である。待機モードの被制御装置６００が、ＰＯＷＥＲ−ＲＣ信号を受信すると、画像表示電源スイッチがオンにされ、表示部６３０に画像を表示させることができる。この場合、被制御装置６００は、通常モードになる。通常モードの被制御装置６００が、ＰＯＷＥＲ−ＲＣ信号を受信すると、画像表示電源スイッチがオフにされ、被制御装置６００は、待機モードとなる。
【０１１４】
ここで、表示部６３０に、図６のＴＶ画像Ｇ１００が表示されている被制御装置６００の状態を、第１の状態ともいう。また、表示部６３０に、番組表画像Ｇ１００Ａが表示されている被制御装置６００の状態を、第２の状態ともいう。また、表示部６３０に、予約リスト画像Ｇ１００Ｂが表示されている被制御装置６００の状態を、第３の状態ともいう。また、表示部６３０に、録画リスト画像Ｇ１００Ｃが表示されている被制御装置６００の状態を、第４の状態ともいう。
【０１１５】
次に、図６および図７を参照して、信号テーブルＴ１００が示す信号名のＲＣ信号について説明する。信号名が“ＰＲＴ”のＲＣ信号（以下、ＰＲＴ−ＲＣ信号ともいう）は、第１の状態の被制御装置６００の表示部６３０に、番組表画像Ｇ１００Ａを表示させるための信号である。すなわち、ＰＲＴ−ＲＣ信号は、被制御装置６００の状態を、第１の状態から、第２の状態へ遷移させるための信号である。また、ＰＲＴ−ＲＣ信号は、第２の状態の被制御装置６００の表示部６３０に表示されている番組表画像Ｇ１００Ａの代わりに、ＴＶ画像Ｇ１００を表示部６３０に表示させるための信号である。すなわち、ＰＲＴ−ＲＣ信号は、被制御装置６００の状態を、第２の状態から、第１の状態へ遷移させるための信号でもある。
【０１１６】
信号名が“ＥＮＤ”のＲＣ信号（以下、ＥＮＤ−ＲＣ信号ともいう）は、表示部６３０に表示されている画像を消去するための信号である。
【０１１７】
信号名が“ＴＶ”のＲＣ信号（以下、ＴＶ−ＲＣ信号ともいう）は、表示部６３０にＴＶ画像Ｇ１００を表示させるための信号である。第２の状態の被制御装置６００は、ＥＮＤ−ＲＣ信号およびＴＶ−ＲＣ信号を、ＥＮＤ−ＲＣ信号、ＴＶ−ＲＣ信号の順で受信することにより、表示部６３０に表示されている番組表画像Ｇ１００Ａを消去して、表示部６３０にＴＶ画像Ｇ１００を表示させる。
【０１１８】
信号名が“ＲＶＬＴ”のＲＣ信号（以下、ＲＶＬＴ−ＲＣ信号ともいう）は、第２の状態の被制御装置６００の表示部６３０に、予約リスト画像Ｇ１００Ｂを表示させるための信号である。すなわち、ＲＶＬＴ−ＲＣ信号は、被制御装置６００の状態を、第２の状態から、第３の状態へ遷移させるための信号である。また、ＲＶＬＴ−ＲＣ信号は、第３の状態の被制御装置６００の表示部６３０に表示されている予約リスト画像Ｇ１００Ｂの代わりに、番組表画像Ｇ１００Ａを表示部６３０に表示させるための信号である。すなわち、ＲＶＬＴ−ＲＣ信号は、被制御装置６００の状態を、第３の状態から、第２の状態へ遷移させるための信号でもある。第３の状態の被制御装置６００は、ＥＮＤ−ＲＣ信号およびＴＶ−ＲＣ信号を、ＥＮＤ−ＲＣ信号、ＴＶ−ＲＣ信号の順で受信することにより、表示部６３０に表示されている予約リスト画像Ｇ１００Ｂを消去して、表示部６３０にＴＶ画像Ｇ１００を表示させる。
【０１１９】
信号名が“ＲＥＣＬＴ”のＲＣ信号（以下、ＲＥＣＬＴ−ＲＣ信号ともいう）は、第１の状態の被制御装置６００の表示部６３０に、録画リスト画像Ｇ１００Ｃを表示させるための信号である。すなわち、ＲＥＣＬＴ−ＲＣ信号は、被制御装置６００の状態を、第１の状態から、第４の状態へ遷移させるための信号である。第４の状態の被制御装置６００は、ＥＮＤ−ＲＣ信号およびＴＶ−ＲＣ信号を、ＥＮＤ−ＲＣ信号、ＴＶ−ＲＣ信号の順で受信することにより、表示部６３０に表示されている録画リスト画像Ｇ１００Ｃを消去して、表示部６３０にＴＶ画像Ｇ１００を表示させる。
【０１２０】
すなわち、ＥＮＤ−ＲＣ信号およびＴＶ−ＲＣ信号は、被制御装置６００の状態が第１〜第４の状態のいずれの状態であっても、被制御装置６００の状態を、第１の状態へ遷移させるための信号である。なお、被制御装置６００の状態が第１〜第４の状態のいずれの状態であっても、被制御装置６００を、第１の状態へ遷移させるための信号は、ＥＮＤ−ＲＣ信号のみであってもよい。
【０１２１】
以下においては、携帯端末装置５００から送信される制御信号（ＲＣ信号）に対応する処理を行なうことが可能な被制御装置６００の状態を、信号対応可能状態ともいう。また、第１の状態の被制御装置６００は、被制御装置６００が初めて信号対応可能状態となった場合において、被制御装置６００が制御信号としてのＰＲＴ−ＲＣ信号またはＲＥＣＬＴ−ＲＣ信号に対応する処理を行なうことにより、第２の状態および第４の状態のいずれかの状態に遷移可能な状態（以下、初期状態ともいう）である。
【０１２２】
ここで、ＥＮＤ−ＲＣ信号およびＴＶ−ＲＣ信号を、ＥＮＤ−ＲＣ信号、ＴＶ−ＲＣ信号の順で含む１つの信号は、被制御装置６００を、初期状態（第１の状態）にするための信号（以下、初期状態設定信号ともいう）でもある。すなわち、初期状態設定信号は、ＥＮＤ−ＲＣ信号およびＴＶ−ＲＣ信号を、ＥＮＤ−ＲＣ信号、ＴＶ−ＲＣ信号の順で含む１つの制御信号でもある。
【０１２３】
なお、第４の状態の被制御装置６００は、ＰＲＴ−ＲＣ信号を受信しても、ＰＲＴ−ＲＣ信号に対応する処理を行なわない。すなわち、第４の状態の被制御装置６００において、ＰＲＴ−ＲＣ信号は、無効な信号となる。同様に、第４の状態の被制御装置６００において、ＲＥＣＬＴ−ＲＣ信号およびＲＶＬＴ−ＲＣ信号は、無効な信号となる。
【０１２４】
また、同様に、第１の状態の被制御装置６００において、ＲＶＬＴ−ＲＣ信号は、無効な信号となる。第２の状態の被制御装置６００において、ＲＥＣＬＴ−ＲＣ信号は、無効な信号となる。第３の状態の被制御装置６００において、ＰＲＴ−ＲＣ信号およびＲＥＣＬＴ−ＲＣ信号は、無効な信号となる。すなわち、ＰＲＴ−ＲＣ信号、ＲＶＬＴ−ＲＣ信号、ＲＥＣＬＴ−ＲＣ信号は、被制御装置６００の状態によっては、無効となる信号である。
【０１２５】
なお、ＰＲＴ−ＲＣ信号は、被制御装置６００を、第１の状態および第２の状態のいずれかにするための信号である。また、ＲＶＬＴ−ＲＣ信号は、被制御装置６００を、第２の状態および第３の状態のいずれかにするための信号である。すなわち、ＰＲＴ−ＲＣ信号およびＲＶＬＴ−ＲＣ信号は、被制御装置６００を、異なる複数の状態のいずれかの状態にするための信号である。
【０１２６】
なお、ＰＯＷＥＲ−ＲＣ信号、ＰＲＴ−ＲＣ信号、ＥＮＤ−ＲＣ信号、ＴＶ−ＲＣ信号、ＲＶＬＴ−ＲＣ信号、ＲＥＣＬＴ−ＲＣ信号のデータは、予め、携帯端末装置５００の記憶部５２０に記憶されているとする。
【０１２７】
（複数の制御信号の送信）
次に、携帯端末装置５００が、複数の制御信号を、被制御装置６００へ送信することにより、被制御装置６００を制御するための処理（以下、装置制御処理Ｍともいう）について説明する。なお、被制御装置６００では、制御信号対応処理Ｔが行なわれる。制御信号対応処理Ｔは、他の処理とは独立して行なわれる処理である。
【０１２８】
ここで、携帯端末装置５００の表示部５３０には、インターフェース操作Ｍにより、複数の制御信号を送信するための複数制御信号送信画像ＭＧ１００が表示されているとする。
【０１２９】
図８は、一例としての複数制御信号送信画像ＭＧ１００を示す図である。図８を参照して、複数制御信号送信画像ＭＧ１００には、被制御装置６００を、前述した第１〜第４の状態のいずれかの状態にするための４つの文字列（以下、状態設定文字列ともいう）が表示されている。なお、状態設定文字列の左横には、状態設定文字列を選択するための数字が対応づけて表示される。たとえば、「録画番組を見る」という状態設定文字列の左横には、数字“４”が対応づけて表示される。
【０１３０】
数字“１”に対応する状態設定文字列は、被制御装置６００を、第１の状態にするための文字列である。数字“２”に対応する状態設定文字列は、被制御装置６００を、第２の状態にするための文字列である。数字“３”に対応する状態設定文字列は、被制御装置６００を、第３の状態にするための文字列である。数字“４”に対応する状態設定文字列は、被制御装置６００を、第４の状態にするための文字列である。
【０１３１】
複数制御信号送信画像ＭＧ１００に表示される４つの状態設定文字列の各々は、インターフェース操作Ｍにより数字を入力されることにより選択され、当該選択が確定される。また、４つの状態設定文字列の各々は、方向ボタン５４１Ａ，５４１Ｂ等の操作により、選択状態にされる。選択状態の状態設定文字列は、たとえば、文字列の色を、他の状態設定文字列と異なる色とすることで識別可能なようにされる。そして、状態設定文字列が選択状態である場合に、決定ボタン５４１Ｅを押下する操作する操作があると、状態設定文字列の選択が確定される。
【０１３２】
なお、４つの状態設定文字列には、それぞれ、４つのマクロデータテーブルが対応づけられる。４つのマクロデータテーブルは、以下のマクロデータテーブルＭＤ１１０，ＭＤ１２０，ＭＤ１３０，ＭＤ１４０である。なお、マクロデータテーブルＭＤ１１０，ＭＤ１２０，ＭＤ１３０，ＭＤ１４０は、予め、記憶部５２０に記憶されているとする。なお、マクロデータテーブルは、携帯端末装置５００における、ユーザのインターフェース操作Ｍにより、自由に生成することができるものとする。
【０１３３】
図９は、一例としてのマクロデータテーブルＭＤ１１０を示す図である。マクロデータテーブルＭＤ１１０は、複数制御信号送信画像ＭＧ１００に表示される番号“１”に対応する状態設定文字列に対応付けられるデータテーブルである。
【０１３４】
図９を参照して、複数制御信号送信画像ＭＧ１００において、「信号名」とは、制御信号としてのＲＣ信号の名称である。「順番」とは、対応する信号名のＲＣ信号を送信する順番である。マクロデータテーブルＭＤ１１０は、ＥＮＤ−ＲＣ信号、ＴＶ−ＲＣ信号の順でＲＣ信号を送信するためのデータテーブルである。すなわち、マクロデータテーブルＭＤ１１０は、前述した初期状態設定信号を送信するためのデータテーブルである。
【０１３５】
図１０は、一例としてのマクロデータテーブルＭＤ１２０を示す図である。マクロデータテーブルＭＤ１２０は、複数制御信号送信画像ＭＧ１００に表示される番号“２”に対応する状態設定文字列に対応付けられるデータテーブルである。
【０１３６】
図１０を参照して、マクロデータテーブルＭＤ１２０の各項目は、マクロデータテーブルＭＤ１１０の各項目と同様なので詳細な説明は繰り返さない。マクロデータテーブルＭＤ１２０は、ＥＮＤ−ＲＣ信号、ＴＶ−ＲＣ信号、ＰＲＴ−ＲＣ信号の順でＲＣ信号を送信するためのデータテーブルである。すなわち、マクロデータテーブルＭＤ１２０は、初期状態設定信号、ＰＲＴ−ＲＣ信号の順でＲＣ信号を送信するためのデータテーブルである。
【０１３７】
図１１は、一例としてのマクロデータテーブルＭＤ１３０を示す図である。マクロデータテーブルＭＤ１３０は、複数制御信号送信画像ＭＧ１００に表示される番号“３”に対応する状態設定文字列に対応付けられるデータテーブルである。
【０１３８】
図１１を参照して、マクロデータテーブルＭＤ１３０の各項目は、マクロデータテーブルＭＤ１１０の各項目と同様なので詳細な説明は繰り返さない。マクロデータテーブルＭＤ１３０は、ＥＮＤ−ＲＣ信号、ＴＶ−ＲＣ信号、ＰＲＴ−ＲＣ信号、ＲＶＬＴ−ＲＣ信号の順でＲＣ信号を送信するためのデータテーブルである。すなわち、マクロデータテーブルＭＤ１３０は、初期状態設定信号、ＰＲＴ−ＲＣ信号、ＲＶＬＴ−ＲＣ信号の順でＲＣ信号を送信するためのデータテーブルである。
【０１３９】
図１２は、一例としてのマクロデータテーブルＭＤ１４０を示す図である。マクロデータテーブルＭＤ１４０は、複数制御信号送信画像ＭＧ１００に表示される番号“４”に対応する状態設定文字列に対応付けられるデータテーブルである。
【０１４０】
図１２を参照して、マクロデータテーブルＭＤ１４０の各項目は、マクロデータテーブルＭＤ１１０の各項目と同様なので詳細な説明は繰り返さない。マクロデータテーブルＭＤ１４０は、ＥＮＤ−ＲＣ信号、ＴＶ−ＲＣ信号、ＲＥＣＬＴ−ＲＣ信号の順でＲＣ信号を送信するためのデータテーブルである。すなわち、マクロデータテーブルＭＤ１４０は、初期状態設定信号、ＲＥＣＬＴ−ＲＣ信号の順でＲＣ信号を送信するためのデータテーブルである。
【０１４１】
図１３は、装置制御処理Ｍおよび制御信号対応処理Ｔのフローチャートである。図１３を参照して、装置制御処理Ｍでは、まず、ステップＳ１１１の処理が行なわれる。
【０１４２】
ステップＳ１１１では、制御部５１０が、選択確定操作があるか否かを判定する。選択確定操作は、図８の複数制御信号送信画像ＭＧ１００に表示される４つの状態設定文字列のいずれかを選択し、当該選択を確定するためのインターフェース操作Ｍである。選択確定操作は、文字ボタン群５４６の操作により、数字を入力する操作である。なお、選択確定操作は、方向ボタン５４１Ａ，５４１Ｂ等の操作により、状態設定文字列を選択状態にした後、決定ボタン５４１Ｅを押下する操作であってもよい。ステップＳ１１１において、ＹＥＳならば、ステップＳ１１２に進む。一方、ステップＳ１１１において、ＮＯならば、再度、ステップＳ１１１の処理が行なわれる。ここでは、選択確定操作があったとして、ステップＳ１１２に進む。
【０１４３】
ステップＳ１１２では、音発生処理が行なわれる。音発生処理では、制御部５１０が、選択確定操作を押下したことを報知するための音声データを、音声出力部５７２へ送信する。音声出力部５７２は、受信した音声データに基づく音声（たとえば、ビープ音）を、スピーカから出力する。そして、ステップＳ１１３に進む。
【０１４４】
ステップＳ１１３では、ＲＣモード設定処理が行なわれる。ＲＣモード設定処理では、制御部５１０が、携帯端末装置５００を、ＲＣモードに設定する。そして、ステップＳ１１４に進む。
【０１４５】
ステップＳ１１４では、マクロデータ読出し処理が行なわれる。マクロデータ読出し処理では、制御部５１０が、選択確定操作により選択された状態設定文字列に対応するマクロデータテーブルを、記憶部５２０から読み出す。以下においては、マクロデータ読出し処理により読み出されたマクロデータテーブルを、読出マクロデータテーブルともいう。ここで、選択確定操作により選択された状態設定文字列は、図８の複数制御信号送信画像ＭＧ１００に表示される番号“３”に対応する文字列であるとする。この場合、読出マクロデータテーブルは、図１１のマクロデータテーブルＭＤ１３０となる。そして、ステップＳ１１５に進む。なお、読出マクロデータテーブルに示される複数の制御信号の各々は、後述する処理により、被制御装置６００へ送信される候補となる制御信号（以下、送信候補制御信号ともいう）である。
【０１４６】
ステップＳ１１５では、複数の送信候補制御信号の少なくとも１つが、特定信号であるか否かが判定される。ここで、特定信号は、被制御装置６００を、異なる複数の状態のいずれかの状態にするための信号であるとする。すなわち、特定信号は、前述した、ＰＲＴ−ＲＣ信号およびＲＶＬＴ−ＲＣ信号である。また、特定信号は、被制御装置６００の状態によっては、無効となる信号でもあるとする。すなわち、特定信号は、前述したＰＲＴ−ＲＣ信号、ＲＶＬＴ−ＲＣ信号、ＲＥＣＬＴ−ＲＣ信号である。
【０１４７】
具体的には、制御部５１０が、読出マクロデータテーブルが示す複数の信号名の少なくとも１つが、特定信号の信号名であるか否かを判定する。ステップＳ１１５において、ＹＥＳならば、ステップＳ１１５Ａに進む。一方、ステップＳ１１５において、ＮＯならば、後述するステップＳ１１５Ｂに進む。
【０１４８】
ここで、読出マクロデータテーブルは、図１１のマクロデータテーブルＭＤ１３０であるとする。マクロデータテーブルＭＤ１３０は、信号名“ＰＲＴ”，“ＲＶＬＴ”を示す。そのため、マクロデータテーブルＭＤ１３０が示す複数の信号名の少なくとも１つは、特定信号の信号名（“ＰＲＴ”，“ＲＶＬＴ”）である。この場合、ステップＳ１１５において、ＹＥＳと判定され、ステップＳ１１５Ａに進む。
【０１４９】
ステップＳ１１５Ａでは、制御信号送信処理Ａが行なわれる。制御信号送信処理Ａでは、制御部５１０が、読出マクロデータテーブルに示される複数の制御信号を、読出マクロデータテーブルに示される順番で、被制御装置６００へ送信する。ここで、読出マクロデータテーブルは、図１１のマクロデータテーブルＭＤ１３０であるとする。この場合、制御部５１０は、初期状態設定信号、ＰＲＴ−ＲＣ信号およびＲＶＬＴ−ＲＣ信号を、初期状態設定信号、ＰＲＴ−ＲＣ信号、ＲＶＬＴ−ＲＣ信号の順で、被制御装置６００へ送信する。この場合、制御部５１０が送信する、予め順序づけられた複数の制御信号のうちの１番目の制御信号は、初期状態設定信号となる。
【０１５０】
そして、制御部５１０は、ＲＣモードの設定を解除する。そして、再度、ステップＳ１１１の処理が行なわれる。
【０１５１】
被制御装置６００では、制御信号対応処理Ｔが行なわれる。前述したように、制御信号対応処理Ｔは、他の処理とは独立して行なわれる処理である。制御信号対応処理Ｔでは、まず、ステップＳ１４１の処理が行なわれる。
【０１５２】
ステップＳ１４１では、制御部６１０が、制御信号としてのＲＣ信号を受信したか否かを判定する。ステップＳ１４１において、ＹＥＳならば、ステップＳ１４２に進む。一方、ステップＳ１４１において、ＮＯならば、再度、ステップＳ１４１の処理が行なわれる。ここでは、制御信号としての初期状態設定信号を受信したとして、ステップＳ１４２に進む。
【０１５３】
ステップＳ１４２では、制御信号対応処理が行なわれる。制御信号対応処理では、制御部６１０が、受信した制御信号に対応する処理を行なう。ここで、初期状態設定信号を受信したとする。前述したように、初期状態設定信号は、ＥＮＤ−ＲＣ信号およびＴＶ−ＲＣ信号を、ＥＮＤ−ＲＣ信号、ＴＶ−ＲＣ信号の順で含む制御信号である。したがって、制御部６１０は、まず、ＥＮＤ−ＲＣ信号に対応する処理を行なう。この場合、制御部６１０は、ＶＤＰ６３２を利用して、表示部６３０に表示されている画像を消去する。そして、制御部６１０は、ＴＶ−ＲＣ信号に対応する処理を行なう。この場合、制御部６１０は、ＶＤＰ６３２を利用して、表示部６３０に図６のＴＶ画像Ｇ１００を表示させる。そして、再度、ステップＳ１４１の処理が行なわれる。
【０１５４】
すなわち、被制御装置６００が初期状態設定信号を受信することにより、被制御装置６００は、初期状態設定信号を受信する前の状態が、第１〜第４のいずれの状態であっても、初期状態（第１の状態）になる。
【０１５５】
そして、制御部６１０は、ＰＲＴ−ＲＣ信号を受信することにより、前述のステップＳ１４１，Ｓ１４２の処理により、表示部６３０に、番組表画像Ｇ１００Ａを表示させる。そして、制御部６１０は、ＲＶＬＴ−ＲＣ信号を受信することにより、前述のステップＳ１４１，Ｓ１４２の処理により、表示部６３０に、予約リスト画像Ｇ１００Ｂを表示させる。すなわち、被制御装置６００は、制御信号を受信する前の状態に関わらず、第１の状態、第２の状態、第３の状態の順で、状態が変化する。
【０１５６】
すなわち、被制御装置６００の状態に関わらず、被制御装置６００を制御するための制御信号に対応する処理を被制御装置６００に行なわせることを可能とすることができる。
【０１５７】
なお、第４の状態の被制御装置６００が、マクロデータテーブルＭＤ１３０に示される複数の制御信号のうち、仮に、初期状態設定信号（ＥＮＤ−ＲＣ信号、ＴＶ−ＲＣ信号）を除いた、ＰＲＴ−ＲＣ信号、ＲＶＬＴ−ＲＣ信号を、順に受信したとする。この場合、第４の状態の被制御装置６００は、ＰＲＴ−ＲＣ信号に対応する処理を行なうことができないという問題が生じる。すなわち、第４の状態の被制御装置６００において、ＰＲＴ−ＲＣ信号は無効な信号となる。本実施の形態では、複数の制御信号を、被制御装置６００へ送信する場合において、送信される複数の制御信号のうちの１番目の制御信号を、初期状態設定信号とすることで、上記問題の発生を防ぐことができる。
【０１５８】
なお、読出マクロデータテーブルが、図９のマクロデータテーブルＭＤ１１０、図１０のマクロデータテーブルＭＤ１２０、図１２のマクロデータテーブルＭＤ１４０のいずれの場合であっても、携帯端末装置５００および被制御装置６００で行なわれる処理は、前述した処理と同様なので詳細な説明は繰り返さない。
【０１５９】
次に、読出マクロデータテーブルが示す複数の信号名の少なくとも１つが、特定信号の信号名でない場合の処理について説明する。この場合、ステップＳ１１５において、ＮＯと判定され、ステップＳ１１５Ｂに進む。
【０１６０】
ステップＳ１１５Ｂでは、制御信号送信処理Ｂが行なわれる。制御信号送信処理Ｂでは、制御部５１０が、読出マクロデータテーブルに示される複数の制御信号のうち、初期状態設定信号（ＥＮＤ−ＲＣ信号、ＴＶ−ＲＣ信号）を除いた、制御信号を、読出マクロデータテーブルに示される順番で、被制御装置６００へ送信する。なお、読出マクロデータテーブルに示される制御信号が、初期状態設定信号（ＥＮＤ−ＲＣ信号、ＴＶ−ＲＣ信号）のみである場合、制御部５１０は、初期状態設定信号を、被制御装置６００へ送信する。
【０１６１】
そして、制御部５１０は、ＲＣモードの設定を解除する。そして、再度、ステップＳ１１１の処理が行なわれる。
【０１６２】
そして、制御信号対応処理Ｔでは、前述したステップＳ１４１，Ｓ１４２の処理が行なわれる。
【０１６３】
以上説明したように、本実施の形態では、複数の制御信号を送信する場合であって、かつ、送信する複数の制御信号に特定信号が含まれる場合、複数の制御信号の１番目の制御信号を、初期状態設定信号とする。初期状態設定信号は、前述したように、被制御装置６００を、前述した初期状態（第１の状態）にするための信号である。
【０１６４】
したがって、被制御装置６００の状態に関わらず、被制御装置６００を制御するための制御信号に対応する処理を被制御装置６００に行なわせることを可能とすることができるという効果を奏する。
【０１６５】
なお、本実施の形態では、複数の制御信号を送信することにより、被制御装置６００の状態を変化させていた。しかしながら、当該複数の制御信号を含む１つの制御信号を、被制御装置６００へ送信することにより、被制御装置６００の状態を変化させてもよい。
【０１６６】
（機能ブロック図）
図１４は、本実施の形態における制御部５１０の機能ブロック図である。図１４を参照して、制御部５１０は、受付部５１１と、送信部５１２とを含む。
【０１６７】
受付部５１１は、指示入力を受付ける。送信部５１２は、受付部５１１が指示入力を受付けた場合、予め順序づけられた複数の制御信号を、被制御装置６００へ送信する。
【０１６８】
制御部５１０は、さらに、判定部５１３を含む。
判定部５１３は、複数の制御信号の少なくとも１つが、被制御装置６００の状態に関する特定信号であるか否かを判定する。送信部５１２は、判定部５１３により複数の制御信号の少なくとも１つが特定信号であると判定された場合、複数の制御信号を、被制御装置６００へ送信する。
【０１６９】
なお、制御部５１０に含まれる、受付部５１１、送信部５１２および判定部５１３の全てまたは一部は、ハードウエアで構成されてもよい。また、受付部５１１、送信部５１２および判定部５１３の全てまたは一部は、制御部５１０により実行されるプログラムのモジュールであってもよい。
【０１７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７１】
【図１】本実施の形態におけるネットワークシステムの構成を示す図である。
【図２】携帯端末装置の外観を正面から示した図である。
【図３】一例としての文字ボタン群を示す図である。
【図４】携帯端末装置の内部構成を示したブロック図である。
【図５】被制御装置の内部構成を示したブロック図である。
【図６】被制御装置の表示部が表示する画像の例を示す図である。
【図７】一例としての信号テーブルを示す図である。
【図８】一例としての複数制御信号送信画像を示す図である。
【図９】一例としてのマクロデータテーブルを示す図である。
【図１０】一例としてのマクロデータテーブルを示す図である。
【図１１】一例としてのマクロデータテーブルを示す図である。
【図１２】一例としてのマクロデータテーブルを示す図である。
【図１３】装置制御処理Ｍおよび制御信号対応処理Ｔのフローチャートである。
【図１４】本実施の形態における制御部の機能ブロック図である。
【符号の説明】
【０１７２】
７０  ネットワーク、１８０，１８０Ａ  プログラム、５００  携帯端末装置、５１０，６１０  制御部、５２０，６２０  記憶部、５３０，６３０  表示部、５４０  入力部、５５５  記録媒体、６００  被制御装置、１０００  ネットワークシステム。
【図１】
2009124384.tif 000003
【図２】
2009124384.tif 000004
【図３】
2009124384.tif 000005
【図４】
2009124384.tif 000006
【図５】
2009124384.tif 000007
【図６】
2009124384.tif 000008
【図７】
2009124384.tif 000009
【図８】
2009124384.tif 000010
【図９】
2009124384.tif 000011
【図１０】
2009124384.tif 000012
【図１１】
2009124384.tif 000013
【図１２】
2009124384.tif 000014
【図１３】
2009124384.tif 000015
【図１４】
2009124384.tif 000016